(57)【要約】【課題】冷間始動時などにおいて、ＨＣ吸着部にＨＣを確実に吸着させ、エミッションを向上させることが可能な内燃機関の制御装置を提供する。【解決手段】内燃機関の制御装置は、制御弁（切換弁）によりＨＣ吸着部への排気ガスを供給可能に構成された内燃機関に対して制御を行う。弁制御手段は、切換弁を開閉させるための制御を行う。また、噴射禁止手段は、冷間始動時に、内燃機関が起動してから所定時間、燃料の噴射を禁止する。即ち、冷間始動時に遅延制御を行う。これにより、初期の燃料室から排出されるＨＣを確実にＨＣ吸着部に吸着させることができ、エミッションを向上させることが可能となる。また、燃焼室内の残留ガスを掃気してから噴射を開始することができるので、気筒間のばらつきを抑制し、始動ショックを低減させることが可能となる。【選択図】図２
2008025521.tif 000002
【特許請求の範囲】
【請求項１】
ＨＣ吸着部への排気ガスの供給を制御する制御弁を有する内燃機関に対して制御を行う内燃機関の制御装置であって、
前記制御弁を開閉させるための制御を行う弁制御手段と、
冷間始動時に、前記内燃機関が起動してから所定時間、当該内燃機関における燃料の噴射を禁止する噴射禁止手段と、を備えることを特徴とする内燃機関の制御装置。
【請求項２】
前記噴射禁止手段は、前記内燃機関の回転数の変化割合が所定値以下、及び負荷率の変化割合が所定値以下、のうちの少なくともいずれかの条件が成立した際に、前記噴射の禁止を解除することを特徴とする請求項１に記載の内燃機関の制御装置。
【請求項３】
前記噴射禁止手段は、前記制御弁が前記内燃機関における負圧を利用して開閉が行われるように構成されている場合、前記負圧が所定値以上となった際に、前記噴射の禁止を解除することを特徴とする請求項１又は２に記載の内燃機関の制御装置。
【請求項４】
前記噴射禁止手段は、前記制御弁が前記内燃機関における負圧を利用して開閉が行われるように構成されている場合、取得された大気圧に基づいて前記噴射を禁止する時間を設定することを特徴とする請求項１乃至３のいずれか一項に記載の内燃機関の制御装置。
【請求項５】
前記大気圧は、エバポパージシステムの故障診断用に設置されたセンサの検出値に対応することを特徴とする請求項４に記載の内燃機関の制御装置。
【請求項６】
前記噴射禁止手段は、バルブタイミングから負圧生成を予測演算し、前記噴射を禁止する時間を設定することを特徴とする請求項１乃至５のいずれか一項に記載の内燃機関の制御装置。
【請求項７】
前記噴射禁止手段が噴射を禁止している際に、スロットルバルブを閉じ側に制御するスロットル制御手段を更に備えることを特徴とする請求項１乃至６のいずれか一項に記載の内燃機関の制御装置。
【請求項８】
前記スロットル制御手段は、前記内燃機関の温度に基づいて前記スロットルバルブを閉じる量を設定することを特徴とする請求項７に記載の内燃機関の制御装置。
【請求項９】
前記スロットル制御手段によって前記スロットルバルブが閉じ側に制御された場合において、前記噴射禁止手段による噴射の禁止が解除された際に、前記スロットルバルブの開度に応じた燃料噴射量によって噴射を行う手段を備えることを特徴とする請求項７又は８に記載の内燃機関の制御装置。
【請求項１０】
前記噴射禁止手段は、前記噴射を禁止している際に、燃料の点火も禁止することを特徴とする請求項１乃至９のいずれか一項に記載の内燃機関の制御装置。
【発明の詳細な説明】
【技術分野】
【０００１】
本発明は、制御弁によりＨＣ吸着部への排気ガスを供給可能に構成された内燃機関に対して制御を行う内燃機関の制御装置に関する。
【背景技術】
【０００２】
従来より、排気ガス中のＨＣ（炭化水素）を吸着するＨＣ吸着部（ＨＣ吸着筒）が設けられた通路と、ＨＣ吸着部をバイパスする通路のいずれかに排気ガスが流れるように、切換弁を用いて制御を行う装置が知られている。例えば、特許文献１には、ＨＣ吸着部を備える内燃機関において、ＨＣ離脱のための排気ガス導通を機関暖機状態の始動前に行う装置が記載されている。また、特許文献２には、ハイブリッドやアイドリングストップを行う内燃機関において、ＨＣ吸着部及び触媒の温度に応じて、車両からのＨＣ排出量が最小になるように機関の始動や停止を制御する技術が記載されている。
【０００３】
【特許文献１】特開２００２−４７９２６号公報
【特許文献２】特開２００２−２８５８８１号公報
【発明の開示】
【発明が解決しようとする課題】
【０００４】
しかしながら、上記した特許文献１及び２に記載された技術では、冷間始動時に、ＨＣ吸着部へ排気ガスを供給する制御を行う切換弁の動作に遅れが生じ、ＨＣ吸着部に対して即座に排気ガスを供給することができず、ＨＣを適切に吸着させることができない場合があった。
【０００５】
本発明は、このような問題点を解決するためになされたもので、その目的とするところは、冷間始動時などにおいて、ＨＣ吸着部にＨＣを確実に吸着させ、エミッションを向上させることが可能な内燃機関の制御装置を提供することにある。
【課題を解決するための手段】
【０００６】
本発明の１つの観点では、ＨＣ吸着部への排気ガスの供給を制御する制御弁を有する内燃機関に対して制御を行う内燃機関の制御装置は、前記制御弁を開閉させるための制御を行う弁制御手段と、冷間始動時に、前記内燃機関が起動してから所定時間、当該内燃機関における燃料の噴射を禁止する噴射禁止手段と、を備える。
【０００７】
上記の内燃機関の制御装置は、制御弁（以下、「切換弁」とも呼ぶ。）によりＨＣ吸着部への排気ガスを供給可能に構成された内燃機関に対して制御を行う。弁制御手段は、制御弁を開閉させるための制御を行う。また、噴射禁止手段は、冷間始動時に、内燃機関が起動してから所定時間、燃料の噴射を禁止する。即ち、冷間始動時に、遅延制御を行う。これにより、初期の燃料室から排出されるＨＣを確実にＨＣ吸着部に吸着させることができ、エミッションを向上させることが可能となる。また、燃焼室内の残留ガスを掃気してから噴射を開始することができるので、気筒間のばらつきを抑制し、始動ショック（機関振動）を低減させることが可能となる。
【０００８】
上記の内燃機関の制御装置の一態様では、前記噴射禁止手段は、前記内燃機関の回転数の変化割合が所定値以下、及び負荷率の変化割合が所定値以下、のうちの少なくともいずれかの条件が成立した際に、前記噴射の禁止を解除する。
【０００９】
この態様では、噴射禁止手段は、内燃機関の運転状態において定常条件が成立した際に、内燃機関の始動を開始することができる。これにより、機関停止中のインジェクタ油密漏ればらつきやポートウェットばらつき等に起因する、始動時の残留ガス及び残留燃料ばらつきを抑制することができる。即ち、初爆時の各気筒内に流入する燃料量及び空気量の気筒間差を揃えることができ、燃焼のばらつきを抑制することが可能となる。
【００１０】
上記の内燃機関の制御装置の他の一態様では、前記噴射禁止手段は、前記制御弁が前記内燃機関における負圧を利用して開閉が行われるように構成されている場合、前記負圧が所定値以上となった際に、前記噴射の禁止を解除する。これにより、始動後に発生するＨＣをＨＣ吸着部に確実に吸着させることができ、エミッションを効果的に向上させることが可能となる。
【００１１】
上記の内燃機関の制御装置の他の一態様では、前記噴射禁止手段は、前記制御弁が前記内燃機関における負圧を利用して開閉が行われるように構成されている場合、取得された大気圧に基づいて前記噴射を禁止する時間を設定する。
【００１２】
この態様では、噴射禁止手段は、大気圧に基づいて噴射を禁止する時間を設定する。こうするのは、機関において発生する負圧が大気圧の影響を受けるため、大気圧に応じて切換弁が完全に閉になるまでに要する時間が変化するからである。上記の内燃機関の制御装置によれば、大気圧に応じて始動時遅延制御を行う最適な時間を設定することができるため、内燃機関における無駄な空回し時間を適切に低減することが可能となる。
【００１３】
上記の内燃機関の制御装置において好適には、前記大気圧は、エバポパージシステムの故障診断用に設置されたセンサの検出値に対応する。即ち、エバポパージシステムの故障診断用に設置されたセンサから大気圧を取得することができる。これにより、大気圧を取得するために圧力センサを別途設ける必要がないため、コストの上昇を抑制できると共に、装置構成を簡便にすることができる。
【００１４】
上記の内燃機関の制御装置の他の一態様では、前記噴射禁止手段は、バルブタイミングから負圧生成を予測演算し、前記噴射を禁止する時間を設定する。
【００１５】
この態様では、噴射禁止手段は、バルブタイミングに基づいて噴射を禁止する時間を設定する。こうするのは、実圧縮（ポンピング効率）に応じて負圧生成スピードが変化するため、バルブタイミングに応じて切換弁が完全に閉になるまでに要する時間が変化するからである。上記の内燃機関の制御装置によれば、始動時遅延制御を行う最適な時間を設定することができるため、無駄な空回し時間を適切に低減することができる。
【００１６】
上記の内燃機関の制御装置の他の一態様では、前記噴射禁止手段が噴射を禁止している際に、スロットルバルブを閉じ側に制御するスロットル制御手段を更に備える。これにより、燃焼の霧化を促進させることができる。よって、重質から軽質燃料での要求噴射量の差を小さくでき、重質燃料時の始動性を確保しつつ、エミッションを低減することが可能となる。
【００１７】
好適には、前記スロットル制御手段は、前記内燃機関の温度に基づいて前記スロットルバルブを閉じる量を設定する。具体的には、内燃機関の温度が低い場合には、スロットルバルブを絞り込む量を少なくする。これにより、極低温域における始動性を確保することができる。
【００１８】
更に好適には、前記スロットル制御手段によって前記スロットルバルブが閉じ側に制御された場合において、前記噴射禁止手段による噴射の禁止が解除された際に、前記スロットルバルブの開度に応じた燃料噴射量によって噴射を行う手段を備える。この態様では、スロットルバルブを締め込むことによって吸入空気量を減らした分だけ、燃料噴射量を減らす。これにより、始動時に排出されるＨＣを低減することが可能となる。
【００１９】
上記の内燃機関の制御装置において好適には、前記噴射禁止手段は、前記噴射を禁止している際に、燃料の点火も禁止する。これにより、確実に内燃機関における燃料の燃焼を禁止することができる。
【発明を実施するための最良の形態】
【００２０】
以下、図面を参照して本発明の好適な実施の形態について説明する。
【００２１】
［全体構成］
図１は、本実施形態に係る内燃機関の制御装置が適用された車両１００の全体構成を示す概略図である。なお、図１では、実線の矢印がガスの流れの一例を示し、破線の矢印が信号の入出力を示している。
【００２２】
車両１００は、主に、スロットルバルブ２と、吸気通路３と、サージタンク４と、エンジン（内燃機関）５と、排気通路６と、第１触媒７と、ＨＣ吸着装置８と、第２触媒９と、切換弁１０と、負圧供給通路１５と、チェックバルブ１６と、三方ＶＳＶ（Vacuum Switching Valve）１９と、ダイヤフラム機構２０と、モータジェネレータ２１と、ＥＣＵ（Electronic Control Unit）５０と、を備える。
【００２３】
吸気通路３には外部から導入された吸気が通過し、スロットルバルブ２は吸気通路３を通過する吸気の流量を調整する。そして、吸気は、サージタンク４に導入された後に、エンジン５に供給される。エンジン５は、複数の気筒を有して構成され、供給された吸気と燃料とを混合した混合気を、燃焼内で爆発させることによって動力を発生する。エンジン５は、ＥＣＵ５０から供給される制御信号によって、燃料噴射量の制御や点火時期の制御などが行われる。なお、エンジン５は、例えばガソリンエンジやディーゼルエンジンなどによって構成される。
【００２４】
排気通路６は、エンジン５から排出された排気ガスが流通する。排気通路６中には、上流側から下流側へ順に、第１触媒７と、ＨＣ吸着装置８と、第２触媒９が設けられている。第１触媒７及び第２触媒９は、三元触媒などによって構成され、排気ガス中のＮＯｘやＳＯｘを浄化する。
【００２５】
ＨＣ吸着装置８は、筒状に構成され、第１の通路６１と第２の通路６２とが形成されている。また、ＨＣ吸着装置８の内部には、切換弁１０が配置されている。第１の通路６１には、排気ガス中に含まれる未燃焼成分としてのＨＣ（炭化水素）を吸着する機能を有するＨＣ吸着部１１（図１中のハッチング部分）が配設されている。切換弁１０は、第１の通路６１、及びＨＣ吸着部１１をバイパスする第２の通路６２のいずれかに排気ガスが流れるように、排気ガスの流路を選択的に切り換える弁である。詳しくは、切換弁１０が閉である場合には第１の通路６１にのみ排気ガスが流れ、切換弁１０が開である場合には第１の通路６１及び第２の通路６２に排気ガスが流れる。切換弁１０は、後述するダイヤフラム機構２０によって開閉が制御される。
【００２６】
ここで、切換弁１０の開閉についての基本的な考え方について説明する。冷始動時などにおいては第１触媒７と第２触媒９が共に排気ガス中のＨＣを効果的に浄化することができないため、ＨＣ吸着部１１によってＨＣを吸着させるために、第１の通路６１に排気ガスが流れるように切換弁１０を閉に設定する。また、ＨＣ吸着部１１は、排気ガスの温度が高くなると、吸着するＨＣを外部へ放出し始める特性を有しているため、吸着されたＨＣがパージされるような温度に排気ガスの温度が達した場合（この場合には、第２触媒９は概ね活性している）に、第２の通路６２に排気ガスが流れるように切換弁１０を閉から開に切り換える。
【００２７】
次に、上記した切換弁１０の開閉を制御する機構について説明する。切換弁１０は、ダイヤフラム機構２０によって開閉が制御される。詳しくは、ダイヤフラム機構２０は、負圧供給通路１５を介して供給されるガスの圧力によって動作が制御される。
【００２８】
負圧供給通路１５は、サージタンク４とダイヤフラム機構２０とを導通させる通路である。負圧供給通路１５には、サージタンク４側からダイヤフラム機構２０側へ向かう方向に順に、チェックバルブ１６、及び三方ＶＳＶ１９が設けられている。チェックバルブ１６は、負圧供給通路１５側からサージタンク４側へ向かうガスの流れのみを許容する一方向弁である。三方ＶＳＶ１９は、いわゆる三方弁によって構成され、チェックバルブ１６側に接続された開口部と、ダイヤフラム機構２０側に接続された開口部と、大気開放された開口部と、を有する。三方ＶＳＶ１９は、ＥＣＵ５０から供給される制御信号によって制御される。
【００２９】
ダイヤフラム機構２０は、供給されるガスの圧力に応じて切換弁１０の開閉を制御する。詳しくは、ダイヤフラム機構２０は、内部が大気圧に維持されており、供給されるガスの圧力と、内部における大気圧との差に応じて動作する。具体的には、ダイヤフラム機構２０は、大気圧が導入された場合には切換弁１０が開となるように動作し、大気圧よりも低圧である負圧が導入された場合には切換弁１０が閉となるように動作する。
【００３０】
モータジェネレータ２１は、主としてエンジン５の出力をアシストする電動機として機能するように構成されている。モータジェネレータ２１は、図示しないプラネタリギヤなどを介してエンジン５と接続されている。
【００３１】
ＥＣＵ５０は、図示しないＣＰＵ、ＲＯＭ、ＲＡＭ、Ａ／Ｄ変換器及び入出力インタフェイスなどを含んで構成される。ＥＣＵ５０は、三方ＶＳＶ１９の制御を行うことによって、ダイヤフラム機構２０に対して供給するガスの圧力を制御して、切換弁１０の開閉を制御する。本実施形態では、ＥＣＵ５０は、冷間始動時において、エンジン５が起動（回転）してから所定時間、燃料の噴射を禁止する制御を行う。このように、ＥＣＵ５０は、本発明における内燃機関の制御装置として機能する。具体的には、ＥＣＵ５０は、弁制御手段及び噴射禁止手段として動作する。
【００３２】
なお、上記では、ＨＣ吸着部１１への排気ガスの供給を制御する切換弁を、負圧を利用して開閉が行われる弁によって構成する例を示したが、この代わりに、電動で駆動される弁によって構成しても良い。
【００３３】
［噴射禁止制御］
次に、本実施形態に係る噴射禁止制御について説明する。本実施形態では、冷間始動時において、内燃機関が起動してから所定時間、燃料の噴射を禁止する制御を行う。即ち、冷間始動時に、遅延始動させる制御（以下、「遅延始動制御」とも呼ぶ。）を行う。こうするのは、初期の燃料室から排出されるＨＣを確実にＨＣ吸着部１１に吸着させることによって、エミッションを向上させるためである。更には、始動時に燃焼室内の残留ガスを掃気することによって、気筒間のばらつきを抑制し、始動ショック（機関振動）を低減させるためである。なお、噴射を禁止する所定時間は、所定の条件が成立するまでに要する時間や、運転状態や外部状態などに応じて設定される時間などに対応する。
【００３４】
以下で、本実施形態に係る噴射禁止制御について、具体的に説明する。
【００３５】
（第１実施形態）
まず、第１実施形態に係る噴射禁止制御について説明する。第１実施形態では、冷間始動時において、所定の定常条件が成立するまで燃料の噴射を禁止する制御を行う。具体的には、エンジンの回転数の変化割合及び負荷率の変化割合を用いて定常条件が成立しているか否か判定する。上記した噴射禁止制御を実行する理由は、エンジン停止中のインジェクタ油密漏ればらつきやポートウェットばらつき等に起因して発生し得る、始動時の残留ガス及び残留燃料ばらつきを抑制するためである。なお、第１実施形態に係る制御は、ＨＣ吸着部１１への排気ガスの供給を制御する切換弁を、負圧を利用して開閉が行われる弁、及び電動で駆動される弁の両方に対して適用することができる。
【００３６】
図２は、第１実施形態に係る噴射禁止制御を示すフローチャートである。この制御は、ＥＣＵ５０によって所定の周期で繰り返し実行される。
【００３７】
まず、ステップＳ１０１では、ＥＣＵ５０は、イグニッションスイッチ（以下、単に「ＩＧ」と呼ぶ。）がオンであるか否かを判定する。ＩＧがオンである場合（ステップＳ１０１；Ｙｅｓ）、処理はステップＳ１０２に進み、ＩＧがオフである場合（ステップＳ１０１；Ｎｏ）、処理は当該フローを抜ける。
【００３８】
ステップＳ１０２では、ＥＣＵ５０は、切換弁１０を閉弁させる指示（以下、「切換弁閉弁指示」とも呼ぶ。）が出ているか否かを判定する。即ち、ＨＣ吸着部１１に排気ガスを供給して、ＨＣを吸着すべき状況であるか否かを判定する。具体的には、ＥＣＵ５０は、エンジン５を冷却するための冷却水の温度（以下、単に「水温」と呼ぶ。）が所定温度以下であるか否かを判定することによって、ステップＳ１０２の判定を行う。即ち、水温が所定温度以下である場合には切換弁閉弁指示を出すべき状態であり、水温が所定温度より高い場合には切換弁閉弁指示を出すべき状態ではないと言える。
【００３９】
切換弁閉弁指示が出ている場合（ステップＳ１０２；Ｙｅｓ）、処理はステップＳ１０３に進む。この場合、水温が所定温度以下であるため、冷間始動時に該当する。一方、切換弁閉弁指示が出ていない場合（ステップＳ１０２；Ｎｏ）、処理は当該フローを抜ける。この場合には、冷間始動時ではないため、噴射を禁止するための制御を実行しない。
【００４０】
ステップＳ１０３では、ＥＣＵ５０は、エンジン５を起動すると共に、三方ＶＳＶ１９をオンにする。この場合、ＥＣＵ５０は、エンジン５に対する燃料の噴射及び点火を開始せずに、モータジェネレータ２１によってエンジン５を回転させる。即ち、モータジェネレータ２１によってクランキングを実行する、言い換えるとエンジン５を「空回し」する。また、ＥＣＵ５０は、ＨＣ吸着部１１に排気ガスを供給するために、切換弁１０を閉にするための制御を行う。具体的には、ＥＣＵ５０は、三方ＶＳＶ１９を制御してダイヤフラム機構２０を動作させることによって、切換弁１０に対する制御を行う。詳しくは、ＥＣＵ５０は、ダイヤフラム機構２０に負圧が導入されるように三方ＶＳＶ１９に対して制御信号を供給する。以上の処理が終了すると、処理はステップＳ１０４に進む。
【００４１】
ステップＳ１０４では、ＥＣＵ５０は、定常条件が成立しているか否かを判定する。ここでは、ＥＣＵ５０は、燃料の噴射及び点火を開始することによってエンジン５を始動させても良い状態にあるか否かを判定している。具体的には、ＥＣＵ５０は、エンジン回転数の変化割合が所定値（例えば３０rpm/sec）以下であり、且つ負荷率の変化割合が所定値（例えば３％/sec）以下であるか否かを判定することによって、定常条件が成立しているか否かを判定する。
【００４２】
定常条件が成立していない場合（ステップＳ１０４；Ｎｏ）、処理はステップＳ１０５に進む。ステップＳ１０５では、ＥＣＵ５０は、噴射及び点火を禁止する。即ち、遅延始動制御を行う。こうするのは、定常条件が成立するまで遅延始動制御を実行することにより、初爆時の各気筒内に流入する燃料量及び空気量の気筒間差を揃えて、燃焼のばらつきを抑制するため（即ち各気筒の発生トルクを揃えるため）である。また、排出されるＨＣを確実にＨＣ吸着部１１に吸着させるためである。以上の処理が終了すると、処理はステップＳ１０４に戻る。即ち、定常条件が成立するまで、噴射・点火の禁止を継続する。
【００４３】
一方、定常条件が成立している場合（ステップＳ１０４；Ｙｅｓ）、処理はステップＳ１０６に進む。この場合には、ＥＣＵ５０は、噴射及び点火を実行することによって、エンジン５を始動させる。即ち、ＥＣＵ５０は、噴射及び点火の禁止を解除する。以上の処理が終了すると、処理は当該フローを抜ける。
【００４４】
以上の第１実施形態に係る制御によれば、エンジン停止中のインジェクタ油密漏ればらつきやポートウェットばらつき等に起因する、始動時の残留ガス及び残留燃料ばらつきを抑制することができる。即ち、初爆時の各気筒内に流入する燃料量及び空気量の気筒間差を揃えることができ、燃焼のばらつきを抑制することが可能となる。これにより、始動ショックを低減できることができ、ドライバビリティーを向上させることが可能となる。また、第１実施形態によれば、初期の燃料室から排出されるＨＣを確実にＨＣ吸着部１１に吸着させることによって、エミッションを向上させることができる。なお、第１実施形態ではＨＣ吸着部１１に排気ガスを供給しているため、遅延始動時に掃気される残留ＨＣガスによるテールパイプ悪化が抑制されると言える。
【００４５】
なお、上記では、エンジン回転数の変化割合が所定値以下であり、且つ負荷率の変化割合が所定値以下である際に定常条件が成立していると判定する例を示したが、他の例では、この２つの条件のいずれかが満たされている場合に、定常条件が成立していると判定することができる。
【００４６】
（第２実施形態）
次に、第２実施形態に係る噴射禁止制御について説明する。第２実施形態では、第１実施形態で用いた定常条件が成立し、且つ切換弁１０が完全に閉となるまで、燃料の噴射を禁止する制御を行う。即ち、第２実施形態では、上記した定常条件が満たされ、且つ、切換弁１０が完全に閉弁したと判定されるまで（この判定で用いる条件を、以下「弁閉完了条件」と呼ぶ。）、噴射を禁止する。こうするのは、切換弁１０が完全に閉となるまで始動を遅延させることにより、発生するＨＣを確実にＨＣ吸着部１１に吸着させるためである。
【００４７】
図３は、第２実施形態に係る噴射禁止制御を示すフローチャートである。この制御は、ＥＣＵ５０によって所定の周期で繰り返し実行される。なお、図３に示す処理は、ステップＳ２０４の処理のみが、前述した図２に示す処理と異なるため（即ち、ステップＳ１０４の代わりにステップＳ２０４の処理を行う）、ここではステップＳ２０４の処理のみ説明する。
【００４８】
ステップＳ２０４では、ＥＣＵ５０は、定常条件が成立し、且つ弁閉完了条件が成立しているか否かを判定する。具体的には、ＥＣＵ５０は、エンジン回転数の変化割合が所定値（例えば３０rpm/sec）以下であり、且つ負荷率の変化割合が所定値（例えば３％sec）以下であるか否かを判定することによって、定常条件が成立しているか否かを判定する。更に、ＥＣＵ５０は、負圧供給通路１５における負圧などに基づいて、弁閉完了条件が成立しているか否かを判定する。この場合、ＥＣＵ５０は、負圧供給通路１５に設けられた圧力センサ（不図示）が検出した圧力に基づいて判定を行う。例えば、検出された圧力が所定圧力以下である場合に（この場合、負圧は所定値以上となっている）、弁閉完了条件が成立したと判定する。
【００４９】
定常条件、及び弁閉完了条件の少なくともいずれかが成立していない場合（ステップＳ２０４；Ｎｏ）、ＥＣＵ５０は、噴射及び点火を禁止する（ステップＳ２０５）。この場合、運転状態が定常条件を満たし、切換弁１０が完全に閉となるまで、遅延始動制御を行う。一方、定常条件、及び弁閉完了条件の両方が成立した場合（ステップＳ２０４；Ｙｅｓ）、ＥＣＵ５０は、噴射及び点火を実行することによって、エンジン５を始動させる（ステップＳ２０６）。
【００５０】
以上の第２施形態に係る制御によれば、始動ショックを低減することが可能となると共に、始動後に発生するＨＣをＨＣ吸着部１１に効果的に吸着させることができ、エミッションを確実に向上させることが可能となる。
【００５１】
（第３実施形態）
次に、第３実施形態に係る噴射禁止制御について説明する。第３実施形態では、大気圧とバルブタイミングに応じて噴射の禁止を継続する時間を算出し、算出された時間が経過するまで噴射を禁止する制御を実行する点で、第１実施形態及び第２実施形態とは異なる。第３実施形態においては、噴射の禁止を継続する時間として、切換弁１０が完全に閉になるまでに要する時間（以下、この時間を「要求閉弁時間」と呼ぶ）を用いる。上記したように大気圧とバルブタイミングに基づいて要求閉弁時間を設定するのは、機関において発生する負圧が、大気圧や、気筒に設けられた吸気弁及び排気弁のバルブタイミングなどの影響を受けるからである。即ち、大気圧とバルブタイミングに応じて、切換弁１０が完全に閉になるまでに要する時間が変化するからである。
【００５２】
より詳しくは、要求閉弁時間は、取得された大気圧に基づいて始動を遅延させる時間（以下、単に「遅延時間」とも呼ぶ。）を求めると共に、バルブタイミングに基づいてこの遅延時間を補正する係数（以下、単に「遅延時間補正係数」と呼ぶ。）を求め、これらの遅延時間及び遅延時間補正係数を用いることによって算出される。このような要求閉弁時間を用いて遅延始動制御を行うことによって、エンジン５の無駄な空回し時間を低減することができる。よって、遅延始動制御におけるクランキングに起因する、インジェクタ油密や残留ガスの排出を効果的に抑制することが可能となる。
【００５３】
ここで、上記した遅延時間を求める際に用いる大気圧を取得する方法について説明する。一例としては、エバポパージシステムの故障診断装置（以下、単に「エバポＯＢＤシステム」と呼ぶ。）に設置された圧力センサの検出値を、大気圧として用いることができる。
【００５４】
図４は、エバポＯＢＤシステム１５０の概略構成を示す図である。図示のように、エバポＯＢＤシステム１５０は、主に、燃料タンク７０と、給油口７１と、キャニスタ７２と、パージ通路７３と、大気導入通路７４と、負圧ポンプモジュール７５と、圧力センサ７７と、を有する。エバポＯＢＤシステム１５０は、キャニスタ７２に吸着された蒸発燃料をエンジン５に対してパージする装置に対して、蒸発燃料の漏れ（リーク）を検出するシステムである。具体的には、圧力センサ７７が検出した圧力などに基づいて、蒸発燃料の漏れの検出が行われる。
【００５５】
前述した車両１００がこのようなエバポＯＢＤシステム１５０を有する場合には、エバポＯＢＤシステム１５０が具備する圧力センサ７７を利用し、圧力センサ７７が検出した圧力を大気圧として用いて要求閉弁時間を算出することができる。この場合、大気圧を取得するために圧力センサを別途設ける必要がないため、コストの上昇を抑制できると共に、装置構成を簡便にすることができる。なお、圧力センサ７７が検出した圧力を大気圧として用いることに限定はされず、他の例では、これを用いる代わりに、大気圧学習値に基づいて算出された大気圧を用いることができる。
【００５６】
次に、上記した大気圧を用いて遅延時間を求める方法について、図５を用いて説明する。図５は、遅延時間を求めるために用いられるマップの一例を示しており、横軸に大気圧を示し、縦軸に遅延時間を示している。横軸に示す大気圧は、前述した方法によって取得された圧力である。図示のように、大気圧が高いほど、遅延時間として短い時間が求められる。これは、大気圧が高いほど負圧が発生しやすいため、切換弁１０が閉になりやすいからである。
【００５７】
次に、バルブタイミングを用いて遅延時間補正係数を求める方法の基本概念について説明する。バルブタイミングを用いて要求閉弁時間を設定するのは、実圧縮（ポンピング効率）に応じて負圧生成スピードが変化するからである。具体的には、実圧縮が向上すると負圧生成スピードが上昇する。したがって、第３実施形態では、遅延始動制御における無駄な空回し時間を低減するために、バルブタイミングを考慮に入れて要求閉弁時間を設定する。
【００５８】
ここで、バルブタイミングを用いて遅延時間補正係数を求める方法を具体的に説明する。図６は、遅延時間補正係数を求める際に用いられるマップの一例を示している。図６（ａ）は、吸気弁閉弁時期に基づいて遅延時間補正係数を求める際に用いられるマップを示している。図６（ａ）は、横軸にクランク角に対応付けた吸気弁閉弁時期を示しており、縦軸に遅延時間補正係数を示している。これより、吸気弁閉弁時期が進角側に進むほど遅延時間補正係数として小さな値が求められる傾向にあり、吸気弁閉弁時期が下死点付近にあるときに最も小さな遅延時間補正係数が求められることがわかる。こうなるのは、吸気弁閉弁時期が進角側に進むほど、吸入空気量が上昇し、負圧が上昇する傾向にあるからである。
【００５９】
図６（ｂ）は、バルブオーバーラップ量に基づいて遅延時間補正係数を求める際に用いられるマップを示している。図６（ｂ）は、横軸にバルブオーバーラップ量を示しており、縦軸に遅延時間補正係数を示している。これより、バルブオーバーラップ量が増加するほど、大きな値を有する遅延時間補正係数が求められることがわかる。こうなるのは、吸気弁閉弁時期が進角側に進むに伴ってバルブオーバーラップ量が増加するほど、吸入空気量が減少し、負圧が減少する傾向にあるからである。
【００６０】
第３実施形態では、図６（ａ）に示すマップ及び図６（ｂ）に示すマップの両方に基づいて、遅延時間補正係数を求める。そして、大気圧に基づいて求められた遅延時間と、バルブタイミングに基づいて求められた遅延時間補正係数とに基づいて、要求閉弁時間を算出する。具体的には、以下の式（１）に示すように、要求閉弁時間は、遅延時間に対して遅延時間補正係数を乗算することによって算出される。
【００６１】
要求閉弁時間＝遅延時間×遅延時間補正係数    式（１）
図７は、第３実施形態に係る噴射禁止制御を示すフローチャートである。この制御は、ＥＣＵ５０によって所定の周期で繰り返し実行される。
【００６２】
まず、ステップＳ３０１では、ＥＣＵ５０は、ＩＧがオンであるか否かを判定する。ＩＧがオンである場合（ステップＳ３０１；Ｙｅｓ）、処理はステップＳ３０２に進み、ＩＧがオフである場合（ステップＳ３０１；Ｎｏ）、処理は当該フローを抜ける。
【００６３】
ステップＳ３０２では、ＥＣＵ５０は、現在の大気圧を取得する。例えば、ＥＣＵ５０は、車両１００がエバポＯＢＤシステム１５０を有する場合には（図４参照）、エバポＯＢＤシステム１５０が具備する圧力センサ７７を利用し、圧力センサ７７が検出した圧力を大気圧として用いる。他の例では、ＥＣＵ５０は、大気圧学習値に基づいて算出された大気圧を用いる。以上の処理が終了すると、処理はステップＳ３０３に進む。
【００６４】
ステップＳ３０３では、ＥＣＵ５０は、切換弁閉弁指示が出ているか否かを判定する。具体的には、ＥＣＵ５０は、エンジン５の冷却水の水温が所定温度以下であるか否かを判定することによって、ステップＳ３０３の判定を行う。切換弁閉弁指示が出ている場合（ステップＳ３０３；Ｙｅｓ）、処理はステップＳ３０４に進み、切換弁閉弁指示が出ていない場合（ステップＳ３０３；Ｎｏ）、処理は当該フローを抜ける。
【００６５】
ステップＳ３０４では、ＥＣＵ５０は、エンジン５を起動して、三方ＶＳＶ１９をオンにすると共に、切換弁１０を閉弁させるための制御の実行時間（この時間は、噴射を禁止している時間に対応する）をカウントするために用いるカウンタ（以下、「閉弁カウンタ」と呼ぶ。）のカウントを開始する。そして、処理はステップＳ３０５に進む。なお、閉弁カウンタは時間の経過に伴ってカウントされる。
【００６６】
ステップＳ３０５では、ＥＣＵ５０は、ステップＳ３０２で取得された大気圧と、バルブタイミングとに基づいて、要求閉弁時間を算出する。具体的には、ＥＣＵ５０は、大気圧から遅延時間を求めると共に、バルブタイミングから遅延時間補正係数を求め、遅延時間及び遅延時間補正係数を式（１）に代入することによって要求閉弁時間を算出する。例えば、ＥＣＵ５０は、図５に示すマップを参照することによって大気圧から遅延時間を求められ、図６に示すマップを参照することによって吸気弁閉弁時期及びバルブオーバーラップ量から遅延時間補正係数を求め、これらから要求閉弁時間を算出する。以上の処理が終了すると、処理はステップＳ３０６に進む。
【００６７】
ステップＳ３０６では、ＥＣＵ５０は、閉弁カウンタが要求閉弁時間を超えたか否かを判定する。ここでは、要求閉弁時間を用いた判定により、切換弁１０が完全に閉となっているか否かを判定している。閉弁カウンタが要求閉弁時間を超えていない場合（ステップＳ３０６；Ｎｏ）、処理はステップＳ３０７に進む。ステップＳ３０７では、切換弁１０が完全に閉となっていると判定されていないので、ＥＣＵ５０は、噴射及び点火を禁止する。そして、処理はステップＳ３０５に戻り、要求閉弁時間を再度算出する。こうするのは、バルブタイミングなどの変化に伴って、要求閉弁時間も変化するからである。次に、処理はステップＳ３０６に進み、判定を再度行う。このように、閉弁カウンタが要求閉弁時間を超えるまで、噴射・点火の禁止を継続する。
【００６８】
一方、閉弁カウンタが要求閉弁時間を超えている場合（ステップＳ３０６；Ｙｅｓ）、処理はステップＳ３０８に進む。この場合には、切換弁１０が完全に閉となっていると判定されているので、ＥＣＵ５０は、噴射及び点火を実行することによってエンジン５を始動させる。即ち、ＥＣＵ５０は、噴射及び点火の禁止を解除する。以上の処理が終了すると、処理は当該フローを抜ける。
【００６９】
以上の第３実施形態に係る制御によれば、大気圧とバルブタイミングに応じて始動時遅延制御を行う最適な時間（要求閉弁時間）を設定するため、エンジン５における無駄な空回し時間を適切に低減することができ、エミッションを向上させることができる。具体的には、遅延始動時に排出され得る、インジェクタ油密や残留ガスを効果的に抑制することが可能となる。
【００７０】
なお、上記では、要求閉弁時間のみを用いた判定により噴射を禁止する制御を実行する例を示したが、他の例では、要求閉弁時間を用いると共に、前述した第１実施形態及び第２実施形態で示した定常条件及び／又は弁閉完了条件を用いて噴射を禁止する制御を実行しても良い。
【００７１】
（第４実施形態）
次に、第４実施形態に係る噴射禁止制御について説明する。第４実施形態では、燃料の噴射を禁止している際に、スロットルバルブ２を通常時よりも閉じ側に制御する点で、第１実施形態乃至第３実施形態と異なる。言い換えると、第４実施形態では、始動時における遅延制御において、スロットルバルブ２を締め込む制御（以下、「スロットル締め込み制御」と呼ぶ。）を実行する。こうするのは、燃焼の霧化を促進させることによって、重質から軽質燃料での要求噴射量の差を小さくし、重質燃料時の始動性の確保とエミッションの低減とを図るためである。
【００７２】
具体的には、第４実施形態では、始動時における水温（エンジン水温）に基づいて、スロットルバルブ２を締め込む量（以下、「スロットル締め込み量」と呼ぶ。）を設定する。こうするのは、極低温域においてスロットルバルブ２の締め込みを抑制することによって、始動性を確保するためである。
【００７３】
ここで、図８を用いて、スロットル締め込み量について具体的に説明する。図８は、スロットル締め込み量を決定する際に用いるマップの一例を示しており、横軸に始動時における水温を示し、縦軸にスロットル締め込み量を示している。このマップによれば、水温が高いほどスロットル締め込み量として大きな量が決定され、水温が低いほどスロットル締め込み量として小さな量が決定される。
【００７４】
更に、第４実施形態では、スロットル締め込み量に応じて、始動時に噴射する燃料噴射量を設定する。具体的には、スロットルバルブ２を締め込むことによって吸入空気量を減らした分だけ、燃料噴射量を減らす。これにより、排出されるＨＣを低減することが可能となる。
【００７５】
一例としては、エンジン負荷などに応じて決定される燃料噴射量をスロットル締め込み量に応じて補正することによって、実際に噴射すべき燃料噴射量を求める。ここで、燃料噴射量を補正する方法について、図９を用いて具体的に説明する。図９は、噴射量補正係数（燃料噴射量を補正する際に用いられる係数）を決定するために用いられるマップの一例を示している。横軸にスロットル締め込み量を示し、縦軸に噴射量補正係数を示している。このマップによれば、スロットル締め込み量が大きいほど大きな値を有する噴射量補正係数が決定され、スロットル締め込み量が小さいほど小さな値を有する噴射量補正係数が決定される。実際に噴射すべき燃料噴射量は、このように決定された噴射量補正係数を、エンジン負荷などに応じて決定される燃料噴射量に乗算等することによって求められる。
【００７６】
図１０は、第４実施形態に係る噴射禁止制御を示すフローチャートである。この制御は、ＥＣＵ５０によって所定の周期で繰り返し実行される。なお、図１０に示す処理は、ステップＳ４０１〜Ｓ４０５の処理が、前述した図７に示すステップＳ３０１〜Ｓ３０５の処理と同一であるため、その説明を省略する。ここでは、ステップＳ４０６以降の処理を説明する。
【００７７】
ステップＳ４０６では、ＥＣＵ５０は、始動時における水温に応じたスロットル締め込み制御を実行する。具体的には、ＥＣＵ５０は、図８に示すマップを用いて水温に応じたスロットル締め込み量を決定し、決定されたスロットル締め込み量に対応する開度にスロットルバルブ２が設定されるようにスロットルバルブ２に対して制御を行う。これにより、極低温域における始動性を確保することができる。そして、処理はステップＳ４０７に進む。
【００７８】
ステップＳ４０７の処理は、前述した図７に示すステップＳ３０６の処理と同一である。即ち、ステップＳ４０７では、ＥＣＵ５０は、閉弁カウンタが要求閉弁時間を超えたか否かを判定する。閉弁カウンタが要求閉弁時間を超えていない場合（ステップＳ４０７；Ｎｏ）、処理はステップＳ４０８に進む。ステップＳ４０８では、ＥＣＵ５０は、噴射及び点火を禁止する。そして、処理はステップＳ４０５に戻り、要求閉弁時間を再度算出する。次に、処理はステップＳ４０６に進み、ＥＣＵ５０は、スロットル締め込み制御を再度実行する。こうするのは、水温の変化などに伴って、設定すべきスロットル締め込み量も変化するからである。そして、処理はステップＳ４０７に進み、判定を再度行う。このように、閉弁カウンタが要求閉弁時間を超えるまで、噴射・点火の禁止を継続する。
【００７９】
一方、閉弁カウンタが要求閉弁時間を超えている場合（ステップＳ４０７；Ｙｅｓ）、処理はステップＳ４０９に進む。この場合には、ＥＣＵ５０は、スロットル締め込み量に応じた燃料噴射量でエンジン始動する（ステップＳ４０９）。即ち、噴射及び点火を実行することによって、エンジン５を始動させる。具体的には、ＥＣＵ５０は、図９に示すマップを用いてスロットル締め込み量に対応する噴射量補正係数を求め、この噴射量補正係数をエンジン負荷などに応じて決定される燃料噴射量に乗算などすることによって、噴射すべき燃料噴射量を算出する。このように、スロットル締め込み量に応じて（即ち吸入空気量に応じて）燃料噴射量を設定することにより、排出されるＨＣを低減することができる。以上の処理が終了すると、処理は当該フローを抜ける。
【００８０】
以上の第４実施形態に係る制御によれば、燃焼の霧化を促進させることによって、燃焼安定性を確保しつつ、エミッションを向上させることが可能となる。具体的には、始動時の要求噴射量が「重質燃料＞軽質燃料」であり、重質燃料での始動性を確保しようとすると、より軽質な燃料に対しては過剰な適合値となり、始動時の空燃比が過剰にリッチになるような場合にも、第４実施形態によれば、燃焼霧化促進により燃焼安定性を向上させることができるため、重質から軽質燃料での要求噴射量の差が小さくできる。よって、重質燃料時の始動性を確保できると共に、エミッションを向上させることができる。
【００８１】
なお、上記では、要求閉弁時間のみを用いた判定により噴射を禁止する制御を実行する例を示したが、他の例では、要求閉弁時間を用いると共に、前述した第１実施形態及び第２実施形態で示した定常条件及び／又は弁閉完了条件を用いて噴射を禁止する制御を実行しても良い。
【図面の簡単な説明】
【００８２】
【図１】本実施形態に係る内燃機関の制御装置が適用された車両の全体構成を示す概略図である。
【図２】第１実施形態に係る噴射禁止制御を示すフローチャートである。
【図３】第２実施形態に係る噴射禁止制御を示すフローチャートである。
【図４】エバポＯＢＤシステムの概略構成を示す図である。
【図５】遅延時間を求める際に用いられるマップの一例を示す図である。
【図６】遅延時間補正係数を求める際に用いられるマップの一例を示す図である。
【図７】第３実施形態に係る噴射禁止制御を示すフローチャートである。
【図８】スロットル締め込み量を決定する際に用いられるマップの一例を示す図である。
【図９】噴射量補正係数を決定するために用いられるマップの一例を示す図である。
【図１０】第４実施形態に係る噴射禁止制御を示すフローチャートである。
【符号の説明】
【００８３】
２  スロットルバルブ
３  吸気通路
５  エンジン
７  第１触媒
９  第２触媒
１０  切換弁
１１  ＨＣ吸着部
１９  三方ＶＳＶ
２０  ダイヤフラム機構
２１  モータジェネレータ
５０  ＥＣＵ
７０  燃料タンク
７２  キャニスタ
７７  圧力センサ
１００  車両
１５０  エバポＯＢＤシステム
【図１】
2008025521.tif 000003
【図２】
2008025521.tif 000004
【図３】
2008025521.tif 000005
【図４】
2008025521.tif 000006
【図５】
2008025521.tif 000007
【図６】
2008025521.tif 000008
【図７】
2008025521.tif 000009
【図８】
2008025521.tif 000010
【図９】
2008025521.tif 000011
【図１０】
2008025521.tif 000012